(57)【特許請求の範囲】
【請求項１】
エアビームを主要構成体とするビームユニットを平行に２体配置し、該２体のビームユニットの間に帯状の覆幕を着脱自在に介挿する基本構造を少なくとも１組以上含む構成からなるドーム型テントにおいて、
前記帯状の覆幕の両縁にそれぞれガイドロープを取り付け、前記ビームユニットの縁部には所定間隔にガイドローラを取り付けると共に、該ガイドローラを回転軸方向に直交する面で分割した左右二つの半割ローラで構成し、前記覆幕のガイドロープを前記ガイドローラに左右二つの半割ローラの間に覆幕縁部を挿入するように順次案内させて、前記覆幕の縁部とビームユニットの縁部との間を着脱自在に連結したドーム型テント。
【請求項２】
前記ビームユニットが、前記エアビームを複数本平行に配列すると共に、エアビームの相互間を帯状の屋根幕で接合した構成からなる請求項１に記載のドーム型テント。
【請求項３】
前記基本構造の配列の最外端のビームユニットに妻幕を着脱自在に取り付け、該妻幕に出入口用切込みを設けた請求項１又は２に記載のドーム型テント。
【請求項４】
前記エアビームの長手方向両端部にそれぞれ脚座を固定した請求項１，２又は３に記載のドーム型テント。
【発明の詳細な説明】
【０００１】
【発明の属する技術分野】
本発明はドーム型テントに関し、さらに詳しくは、収納物の大きさに応じて収納スペースを簡単に変えられるドーム型テントに関する。
【０００２】
【従来の技術】
大型車両やヘリコプターなどを整備管理する自衛隊や整備会社などでは、修理のために持ち込まれた車両等を一時収容するための格納庫に空きがない場合、テントを臨時の格納庫として使用する。また、遠隔地で不時着したヘリコプターを修理する場合には、修理工場まで運搬することが難しいため、現地でテントを設営して雨等から不時着ヘリコプターを保護するようにしている。
【０００３】
しかるに、大型車両やヘリコプターなどは、必ずしも同じ大きさを有するものではないため、上記のような臨時格納庫用テントとして、サイズの異なる多種類を常備するようにしておかなければならない。しかし、このように多種類のテントを常備することは、保全管理が非常に繁雑にするという問題があった。
【０００４】
【発明が解決しようとする課題】
本発明の目的は、上述した従来の問題を解消し、収納物の大きさに応じて収納スペースを簡単に変えられるドーム型テントを提供することにある。
【０００５】
【課題を解決するための手段】
上記目的を達成する本発明のドーム型テントは、エアビームを主要構成体とするビームユニットを平行に２体配置し、該２体のビームユニットの間に帯状の覆幕を着脱自在に介挿する基本構造を少なくとも１組以上含む構成からなるドーム型テントにおいて、前記帯状の覆幕の両縁にそれぞれガイドロープを取り付け、前記ビームユニットの縁部には所定間隔にガイドローラを取り付けると共に、該ガイドローラを回転軸方向に直交する面で分割した左右二つの半割ローラで構成し、前記覆幕のガイドロープを前記ガイドローラに左右二つの半割ローラの間に覆幕縁部を挿入するように順次案内させて、前記覆幕の縁部とビームユニットの縁部との間を着脱自在に連結したことを特徴とするものである。
【０００６】
このようにテントが２体のビームユニットの間に帯状の覆幕を着脱自在に介挿する基本構造に基づいて構成されているため、多種類のテントを常備しなくても、基本構造の数を増減するだけで種々の大きさの収納物に対応することができる。また、テントの保管管理は、基本構造を構成するビームユニットと覆幕を保管するだけでよく、従来のように多種類のテントを管理する必要がないため保全管理が単純化することできる。
【０００７】
【発明の実施の形態】
本発明においてテントの基本構造は、エアビームを主要構成体とするビームユニットを平行に２体配置し、この２体のビームユニットの間に帯状の覆幕を着脱自在に介挿することにより構成されている。
【０００８】
ビームユニットの主要構成体となるエアビームは、非通気性の幕材からチューブ状袋体として形成され、かつ折り畳み自在な構成からなる。チューブ状袋体の一端には給気口バルブが取り付けられ、この給気口バルブから送風機等により圧空を供給することでアーク形或いは門形の立体構造を形成するようになっている。非通気性の幕材は、合成繊維織物或いは天然繊維織物にゴム或いは軟質樹脂をコーティングして構成されている。
【０００９】
ビームユニットはエアビームだけで構成してあってもよいが、好ましくは少なくとも２本、さらに好ましくは２〜５本のエアビームを間隔をあけて平行に配列し、これらエアビームの相互間を屋根幕で接合したものがよい。屋根幕としては、上記エアビームと同様の非通気性の幕材から構成されるものがよい。
【００１０】
２体のビームユニットの間に着脱自在に介挿する覆幕としては、上記屋根幕と同様の非通気性の幕材から構成される。２体のビームユニットの間隔よりもやや大きい寸法の幅を有する帯状に形成され、その縁部をビームユニットの縁部にオーバラップさせるようにしたものが好ましい。
【００１１】
覆幕をビームユニットの間に着脱自在に取り付ける方法は、帯状覆幕の両縁部にそれぞれガイドロープを一体に取り付けるようにし、他方ビームユニット側の縁部には、内面側の長手方向に沿って一定又は不規則な間隔をおいて複数のガイドローラを取り付け、これらガイドローラに上記ガイドロープを利用して覆幕を取り付ける。ここに使用するガイドローラは、回転軸方向に直交する面で分割された左右二つの半割ローラになっていて、ローラ外周でガイドロープを案内しながら、覆幕を二つの半割ローラ間の隙間に挿通させるようにする。
【００１２】
上記のようにビームユニット側に取り付けられた複数のガイドローラに対し、覆幕のガイドロープをビームユニットの一端から他端に渡るように順次挿通すると、帯状の覆幕の縁部（すなわち、ガイドロープ）を複数のガイドローラを介してビームユニットの縁部に懸架させることができる。このとき覆幕の縁部は、二つの半割ローラ間の隙間を通過し、反対側のビームユニットの縁部に同様の状態になって懸架される。このようにして覆幕の縁部とビームユニットの縁部とは、互いにオーバラップした状態になるが、相互間には僅かなスリット状の隙間が形成されるため、この隙間が換気孔として作用する。
【００１３】
ビームユニットと覆幕との間の着脱自在な連結方法は、上記のようなガイドローラとガイドロープとの係合に限定される。
【００１４】
以下、図に示す実施形態を参照して説明する。
【００１５】
図１は、本発明のドーム型テントを組み立てる前の部品の配置を例示する展開図、図２は、組立途中の状態を例示する斜視図である。また、図５は組立終了後のドーム型テントを示す。
【００１６】
図１及び図２において、１はビームユニット、２は帯状の覆幕、３は妻幕である。各ビームユニット１は、２本のエアビーム１１，１１を平行に並べ、その間を帯状の屋根幕１２が接合するように構成されている。
【００１７】
上記テントは、左右２体のビームユニット１，１の間を覆幕２が着脱自在に連結するようにした構成を基本構造１０として構成されている（図５）。特に、図示の例では、ビームユニット１が４セット、覆幕２が３セット配置され、かつこれらが交互の配置関係になることにより基本構造１０が三つ含まれ、かつ隣接する基本構造１０，１０間でビームユニット１を相互に共有するようになっている。また、配列最外端には必ずビームユニット１，１が位置し、その外側部に妻幕３がファスナー等により着脱自在に取り付けられている。
【００１８】
図のドーム型テントを設営するときは、先ず図１のように、設営場所に経始綱２０を展開し、その四隅に小杭を打ち込んで固定する。この経始綱２０の長辺方向に沿って、４セットのビームユニット１を一定間隔に概ね平行に配列する。また、各エアビーム１１の端部には脚座４を配置し、さらに最外端に配置されたビームユニット１の外側の側面には妻幕３をファスナーで接合する。
【００１９】
上記ビームユニット１としては、予め組立済みのものを配置するようにしてもよいが、この設営場所において合計８本のエアビーム１１を所定間隔に平行に配列し、外端から２本ずつのエアビーム１１，１１に屋根幕１２をファスナーで接合するようにしてもよい。
【００２０】
次に、各エアビーム１１の端部を脚座４に固定し、順次２本ずつの単位で送風機によりエアビーム１１に圧空を充填し、アーチ状の立体構造にする。また、各エアビーム１１の間には緊定綱２１で連結し、相互間が均等な間隔を維持するように４セットのビームユニット１を安定させる。
【００２１】
次いで、隣接するビームユニット１，１間の開口端部に配置した覆幕２を、そのビームユニット１，１の間に連結する。この覆幕２は、図３に示すように小さく折り畳まれた状態になっており、かつ両縁部にはガイドロープ５，５が長手方向に沿って一体に取り付けられ、さらに覆幕２の端部から長く延長している。他方、ビームユニット１の縁部（具体的にはエアビーム１１の内面）には、その内面の長手方向に沿って複数のガイドローラ６が所定間隔に取り付けられている。
【００２２】
上記ガイドローラ６は、図４に示すように、軸方向に直交する面で左右二つの半割ローラ６ａ，６ａに分割されており、かつ半割ローラ６ａ，６ａは、それぞれ支持ブラケット７に固定された軸８，８に回転自在に軸支されている。このガイドローラ６は、連結環９を介してビームユニット１（エアビーム１１）の縁部内面に首振り自在に取り付けられている。
【００２３】
したがって、覆幕２の両縁部に連結したガイドロープ５，５を、それぞれ左右両側のビームユニット１の縁部のガイドローラ６に順次挿通して行くと、覆幕２が二つの半割ローラ６ａ，６ａ間の隙間を通過しながら（図４）、ビームユニット１，１間の開口（隙間）を覆って行く。最後に、図５に示すように、ビームユニット１，１の開口全体を覆幕２が覆った状態になって、組立が完了する。図５において、２２は係止綱であり、設営後のドーム型テントを安定させる作用をする。
【００２４】
上述した本発明のドーム型テントは、２体のビームユニット１，１の間に帯状の覆幕２を着脱自在に介挿するようにした基本構造１０に基づいて構成されている。したがって、この基本構造１０の数を適宜増減するだけで、種々の大きさの収納物に対応させることができる。
【００２５】
すなわち、上述した実施形態では、４セットのビームユニット１と３セットの覆幕２とを配列して、三つの基本構造１０で構成したものであるが、２種類のビームユニット１と覆幕２とを必要数用意しておけば、他の異なる収納スペースをもつテントを形成することもできるのである。例えば、収納すべき車両或いはヘリコプター等の大きさに応じて、ビームユニット１と覆幕２とのセット数を選択すると、図６（Ａ）のように一つの基本構造１０だけの大きさにしたり、図６（Ｂ）のように、二つの基本構造１０からなる大きさにしたり、或いは図６（Ｃ）のように、四つの基本構造１０からなる大きさにしたりすることができる。
【００２６】
また、テントの保管管理については、基本構造を構成するビームユニットと帯状の覆幕を保管するだけでよいから保全管理を単純化し、簡単にすることができる。
【００２７】
【発明の効果】
上述したように本発明によれば、テントが２体のビームユニットの間に帯状の覆幕を着脱自在に介挿する基本構造に基づいて構成されているため、多種類のテントを常備しなくても、基本構造の数を増減するだけで種々の大きさの収納物に対応することができる。また、テントの保管管理は、基本構造を構成するビームユニットと覆幕を保管するだけでよく、従来のように多種類のテントを管理する必要がないため保全管理が単純化することできる。
【図面の簡単な説明】
【図１】本発明のドーム型テントを組み立てる前の部品配置を例示する展開図である。
【図２】本発明のドーム型テントの組立途中の状態を例示する斜視図である。
【図３】本発明のドーム型テントの組立途中における覆幕の状態を示す斜視図である。
【図４】本発明のドーム型テントの組立に使用されるガイドロールの要部を示す縦断面図である
【図５】本発明のドーム型テントの組立後の状態を例示する展開図である。
【図６】（Ａ）〜（Ｃ）は、それぞれ本発明のドーム型テントの組立後の他の例を示す斜視図である。
【符号の説明】
１  ビームユニット
２  覆幕
３  妻幕
３ａ  出入口用切込み
４  脚座
５  ガイドロープ
６  ガイドローラ
６ａ  半割ローラ
１０  基本構造
１１  エアビーム
１２  屋根幕
【図１】
0003803048.tif 000002
【図２】
0003803048.tif 000003
【図３】
0003803048.tif 000004
【図４】
0003803048.tif 000005
【図５】
0003803048.tif 000006
【図６】
0003803048.tif 000007